【手続補正書】
【提出日】平成17年1月17日(2005.1.17)
【手続補正１】
【補正対象書類名】特許請求の範囲
【補正対象項目名】全文
【補正方法】変更
【補正の内容】
【特許請求の範囲】
【請求項１】
瞳孔の反応を病理学的兆候に関連付けるための方法において、
１つ以上の病理学的兆候に関連のある複数の瞳孔反応の特徴を表すデータをデータベース内に格納する工程と、
患者の瞳孔反応データを提供し、前記瞳孔反応データが前記患者の１つ以上の瞳孔反応の特徴を表す工程、および
データ解析システム内で、前記患者の瞳孔反応データと、複数の瞳孔反応の特徴を表す前記データとを比較し、前記患者の１つ以上の病理学的状態を識別する工程から構成される方法。
【請求項２】
瞳孔の測定値を病理学的兆候に関連付けるための方法において、
複数の瞳孔構成および関連ある病理学的状態を示すデータをデータベース内に格納する工程と、
患者の瞳孔構成データを提供する工程、および
データ解析システム内で、前記患者の前記瞳孔構成データと、前記複数の瞳孔構成を表すデータとを比較し、前記患者の１つ以上の病理学的状態を識別する工程から構成される方法。
【請求項３】
前記瞳孔構成データが、少なくとも１つの可視光線刺激パルスに対する瞳孔反応を示すデータから構成されることを特徴とする、請求項２に記載の方法。
【請求項４】
前記瞳孔構成データが、少なくとも１つの光刺激パルスに対する瞳孔変化を示すデータを含むことを特徴とする、請求項２に記載の方法。
【請求項５】
前記瞳孔構成データが、周囲光の照射に対する瞳孔反応を示すデータを含むことを特徴とする、請求項２に記載の方法。
【請求項６】
瞳孔反応を病理学的兆候に関連付けるための方法において、
複数の瞳孔の部分的構成および関連ある病理学的状態を表すデータをデータベース内に格納する工程と、
瞳孔計を用いて、患者から瞳孔構成データを捕捉し、前記患者の瞳孔が局所的不均一性を表す場合、前記瞳孔構成データが前記患者の瞳孔の特定部分の不均一性を示すデータを含む工程、および
データ解析システム内で、前記患者から捕捉した前記瞳孔構成データと、前記複数の瞳孔の部分的構成を表すデータとを比較し、前記患者の１つ以上の病理学的状態を識別する工程から構成される方法。
【請求項７】
瞳孔反応を、個人の健康状態または前記個人の生理学的系統を示すスカラー値に関連付けるための方法において、
１つ以上の病理学的兆候に関連のある複数の瞳孔反応の特徴を表すデータをデータベース内に格納する工程と、
個人の瞳孔反応データを提供する工程、および
データ解析システム内で、前記個人の前記瞳孔反応データと、前記複数の瞳孔反応の特徴を表すデータとを比較し、前記スカラー値を導出する工程から構成される方法。
【請求項８】
病理学的状態を診断する際に使用するためのシステムにおいて、
１つ以上の瞳孔の特徴を示すデータを患者から得るための瞳孔計と、
複数の瞳孔の特徴および関連ある身体状態を示すデータを格納するためのデータベース、および
前記瞳孔計で捕捉される前記データと前記データベース内に格納される前記データとを比較し、前記患者の病理学的状態が前記比較に基づき診断できるよう、前記瞳孔計および前記データベースと通信可能な中央処理装置から構成されるシステム。
【請求項９】
更に前記瞳孔計内に格納された前記データと前記データベース内に格納された前記データとを比較する前記工程の結果に基づきスカラー指数を生成するための処理サブルーチンから構成されることを特徴とする、請求項８に記載のシステム。
【請求項１０】
更に前記患者の瞳孔の画像を表示し、前記患者の瞳孔の特徴が前記データベース内に格納された前記データが示す瞳孔の特徴に一致するかを示すために前記中央処理装置に連結されたディスプレイから構成されることを特徴とする、請求項８に記載のシステム。
【請求項１１】
神経学的劣化を検知するためのシステムにおいて、
１つ以上の瞳孔特徴を表す第１のデータセットを得るための瞳孔計と、
瞳孔計と電気的に通信可能な振幅変調された光源と、
光源の振幅を制御できるように、瞳孔計及び光源と通信可能な中央処理装置とを備えたシステム。
【請求項１２】
１つ以上の瞳孔特徴を表す第２のデータセットを格納するデータベースをさらに備え、
中央処理装置は、神経学的劣化を検知するために、第１のデータセットを第２のデータセットと比較することを特徴とする請求項１１に記載のシステム。
【請求項１３】
第１及び第２のデータセットが瞳孔の収縮速度を表すことを特徴とする請求項１２に記載のシステム。
【請求項１４】
第１及び第２のデータセットが瞳孔の振幅を表すことを特徴とする請求項１２に記載のシステム。
【請求項１５】
瞳孔の振幅は、最大の瞳孔の大きさから最小の瞳孔の大きさを引いて第１の値を得、前記第１の値を最大の瞳孔大きさで割って第２の値を得ることで定義されることを特徴とする請求項１４に記載のシステム。
【請求項１６】
瞳孔の振幅は、第２の値に１００％を掛けることで定義されることを特徴とする請求項１５に記載のシステム。
【請求項１７】
中央処理装置は、経時データを格納するように構成されることを特徴とする請求項１１に記載のシステム。
【請求項１８】
中央処理装置は、振幅データを格納するように構成されることを特徴とする請求項１１に記載のシステム。
【請求項１９】
中央処理装置は、光源を瞳孔計に同期させるように構成されることを特徴とする請求項１１に記載のシステム。
【請求項２０】
瞳孔の反応を病理学的兆候に関連付けるための方法において、
１つ以上の病理学的兆候に関連のある複数の瞳孔反応の特徴を表すデータをデータベース内に格納する工程と、
瞳孔計により得られた患者の瞳孔反応データを提供する工程と、
データベース及び瞳孔計と通信可能なマイクロプロセッサを備えたデータ解析システムを提供する工程と、
前記データ解析システム内で、前記患者の瞳孔反応データと、複数の瞳孔反応の特徴を表す前記データとを比較し、前記患者の１つ以上の病理学的状態を識別する工程とを含む方法。
【請求項２１】
データベース及びデータ解析システムが瞳孔計内に組み込まれることを特徴とする請求項２０に記載の方法。
【請求項２２】
瞳孔反応データは収縮速度を含むことを特徴とする請求項２０に記載の方法。
【請求項２３】
瞳孔反応データは瞳孔の振幅を含むことを特徴とする請求項２０に記載の方法。
【請求項２４】
瞳孔の測定値を病理学的兆候に関連付けるための方法において、
複数の瞳孔構成および関連ある病理学的状態を示すデータをデータベース内に格納する工程と、
瞳孔計により得られた患者の瞳孔構成データを提供する工程と、
データベース及び瞳孔計と通信可能なマイクロプロセッサを備えたデータ解析システムを提供する工程と、
データ解析システム内で、前記患者の前記瞳孔構成データと、前記複数の瞳孔構成を表すデータとを比較し、前記患者の１つ以上の病理学的状態を識別する工程とを含む方法。
【請求項２５】
データベース及びデータ解析システムが瞳孔計内に組み込まれることを特徴とする請求項２４に記載の方法。
【請求項２６】
前記瞳孔構成データは、少なくとも１つの可視光線刺激パルスに対する瞳孔変化を示すデータを含むことを特徴とする請求項２４に記載の方法。
【請求項２７】
前記瞳孔構成データは、少なくとも１つの光刺激パルスに対する瞳孔の変化を示すデータを含むことを特徴とする請求項２４に記載の方法。
【請求項２８】
前記瞳孔構成データが、周囲光の照射に対する瞳孔反応を示すデータを含むことを特徴とする請求項２４に記載の方法。
【請求項２９】
瞳孔反応を、個人の健康状態または前記個人の生理学的系統を示すスカラー値に関連付けるための方法において、
１つ以上の病理学的兆候に関連のある複数の瞳孔反応の特徴を表すデータをデータベース内に格納する工程と、
瞳孔計により得られた個人の瞳孔反応データを提供する工程と、
データベース及び瞳孔計と通信可能なマイクロプロセッサを備えたデータ解析システムを提供する工程と、
データ解析システム内で、前記個人の前記瞳孔反応データと、前記複数の瞳孔反応の特徴を表すデータとを比較し、前記スカラー値を導出する工程とを含む方法。
【請求項３０】
データベース及びデータ解析システムが瞳孔計内に組み込まれることを特徴とする請求項２９に記載の方法。
【請求項３１】
病理学的状態を診断する際に使用するためのシステムにおいて、
１つ以上の瞳孔の特徴を示す第１のデータセットを患者から得るための瞳孔計と、
複数の瞳孔の特徴および関連ある身体状態を示す第２のデータセットを格納するためのデータベース、および
前記第１のデータセットと前記第２のデータセットとを比較し、前記患者の病理学的状態が前記比較に基づき診断できるよう、前記瞳孔計および前記データベースと通信可能な中央処理装置から構成されるシステム。
【請求項３２】
第１及び第２のデータセットが画像データを含むことを特徴とする請求項３１に記載のシステム。
【請求項３３】
第１及び第２のデータセットが英数字の値を含むことを特徴とする請求項３１に記載のシステム。
【請求項３４】
中央処理装置による前記第１のデータセットと前記第２のデータセットとの前記比較の結果に基づいて、スカラー指数を生成するための処理サブルーチンをさらに備えた請求項３１に記載のシステム。
【請求項３５】
前記患者の瞳孔の画像を表示するとともに、前記患者の瞳孔の特徴が前記第２のデータセットが示す瞳孔の特徴のいずれかに一致するかを示すために、前記中央処理装置に連結されたディスプレイをさらに備えた請求項３１に記載のシステム。
【請求項３６】
データベース及び中央処理装置が瞳孔計内に組み込まれることを特徴とする請求項３１に記載の方法。
【請求項３７】
前記１つ以上の瞳孔の特徴を示すデータは、瞳孔の収縮速度を表すデータを含むことを特徴とする請求項８に記載のシステム。
【請求項３８】
前記１つ以上の瞳孔の特徴を示すデータは、瞳孔の振幅を表すデータを含むことを特徴とする請求項８に記載のシステム。
【請求項３９】
前記１つ以上の瞳孔の特徴を示すデータは、瞳孔の潜伏時間を表すデータを含むことを特徴とする請求項８に記載のシステム。
【請求項４０】
前記１つ以上の瞳孔の特徴を示すデータは、第１および第２の拡大速度を表すデータを含むことを特徴とする請求項８に記載のシステム。
【請求項４１】
前記１つ以上の瞳孔の特徴を示すデータは、瞳孔の直径を表すデータを含むことを特徴とする請求項８に記載のシステム。
【請求項４２】
前記１つ以上の瞳孔の特徴を示すデータは、部分的動的解析を表すデータを含むことを特徴とする請求項８に記載のシステム。
【請求項４３】
前記１つ以上の瞳孔の特徴を示すデータは、部分的静的解析を表すデータを含むことを特徴とする請求項８に記載のシステム。
【請求項４４】
前記１つ以上の瞳孔の特徴を示すデータは、瞳孔の収縮速度を表すデータを含むことを特徴とする請求項３１に記載のシステム。
【請求項４５】
前記１つ以上の瞳孔の特徴を示すデータは、瞳孔の振幅を表すデータを含むことを特徴とする請求項３１に記載のシステム。
【請求項４６】
前記１つ以上の瞳孔の特徴を示すデータは、瞳孔の潜伏時間を表すデータを含むことを特徴とする請求項３１に記載のシステム。
【請求項４７】
前記１つ以上の瞳孔の特徴を示すデータは、第１および第２の拡大速度を表すデータを含むことを特徴とする請求項３１に記載のシステム。
【請求項４８】
前記１つ以上の瞳孔の特徴を示すデータは、瞳孔の直径を表すデータを含むことを特徴とする請求項３１に記載のシステム。
【請求項４９】
前記１つ以上の瞳孔の特徴を示すデータは、部分的動的解析を表すデータを含むことを特徴とする請求項３１に記載のシステム。
【請求項５０】
前記１つ以上の瞳孔の特徴を示すデータは、部分的静的解析を表すデータを含むことを特徴とする請求項３１に記載のシステム。
【請求項５１】
神経学的劣化を検出するために用いるシステムにおいて、
患者から１つ以上の瞳孔の特徴を表す第１セットのデータを捕捉するための瞳孔計と、
複数の瞳孔の特徴を表す第２セットのデータを格納するためのデータベースと、
前記第１セットのデータを前記第２セットのデータを比較してスカラー値を導出するよう、前記瞳孔計および前記データベースと通信可能な中央処理装置から構成されるシステム。
【請求項５２】
前記複数の瞳孔の特徴は基準データを含むことを特徴とする請求項５１に記載のシステム。
【請求項５３】
前記１つ以上の瞳孔の特徴を示すデータは、瞳孔の収縮速度を表すデータを含むことを特徴とする請求項５１に記載のシステム。
【請求項５４】
前記１つ以上の瞳孔の特徴を示すデータは、瞳孔の振幅を表すデータを含むことを特徴とする請求項５１に記載のシステム。
【請求項５５】
前記１つ以上の瞳孔の特徴を示すデータは、瞳孔の潜伏時間を表すデータを含むことを特徴とする請求項５１に記載のシステム。
【請求項５６】
前記１つ以上の瞳孔の特徴を示すデータは、第１および第２の拡大速度を表すデータを含むことを特徴とする請求項５１に記載のシステム。
【請求項５７】
前記１つ以上の瞳孔の特徴を示すデータは、瞳孔の直径を表すデータを含むことを特徴とする請求項５１に記載のシステム。
【請求項５８】
前記１つ以上の瞳孔の特徴を示すデータは、部分的動的解析を表すデータを含むことを特徴とする請求項５１に記載のシステム。
【請求項５９】
前記１つ以上の瞳孔の特徴を示すデータは、部分的静的解析を表すデータを含むことを特徴とする請求項５１に記載のシステム。
【請求項６０】
神経症または精神的外傷を診断するためのシステムにおいて、
患者の眼から一つまたはそれ以上の瞳孔の特徴を表すデータを捕捉するための瞳孔計と、
該瞳孔計と通信可能な刺激源と、
該瞳孔計に連結された該刺激源を所定のシーケンスで制御し、該刺激源と通信可能になっており、該患者の解剖学的構造に刺激を伝えるよう該刺激源を起動するための中央処理装置から構成されるシステム。
【請求項６１】
刺激源が有害刺激源であることを特徴とする、請求項６０に記載のシステム。
【請求項６２】
刺激源が光源であることを特徴とする、請求項６０に記載のシステム。
【請求項６３】
データが瞳孔の潜伏時間を表すことを特徴とする、請求項６０に記載のシステム。
【請求項６４】
データが瞳孔の収縮速度を表すことを特徴とする、請求項６０に記載のシステム。
【請求項６５】
データが瞳孔の第１および第２の拡大速度を表すことを特徴とする、請求項６０に記載のシステム。
【請求項６６】
データが瞳孔の振幅を表すことを特徴とする、請求項６０に記載のシステム。
【請求項６７】
データが瞳孔の直径を表すことを特徴とする、請求項６０に記載のシステム。
【請求項６８】
中央処理装置が前記データを一つまたはそれ以上のスカラー値に変換するアルゴリズムを有することを特徴とする、請求項６０に記載のシステム。
【請求項６９】
眼を刺激する光を発生させるための可視光源と、
眼の瞳孔を表す信号を発生するための画像センサと、
前記光源を所定のシーケンスで制御し、前記画像センサから受信する信号を処理し、これにより可視光源によって発生される可視光に対する瞳孔の動的反応を識別できるようにするためのマイクロプロセッサから構成される瞳孔計。
【請求項７０】
可視光源が緑色光を発生させることを特徴とする、請求項６９に記載の瞳孔計。
【請求項７１】
可視光源が青色光を発生させることを特徴とする、請求項６９に記載の瞳孔計。
【請求項７２】
可視光源が白色光を発生させることを特徴とする、請求項６９に記載の瞳孔計。
【請求項７３】
可視光源が黄色の散乱光を発生させることを特徴とする、請求項６９に記載の瞳孔計。
【請求項７４】
画像センサから受信する信号が可視光源から発生される光に対する瞳孔反応の振幅を表すことを特徴とする、請求項６９に記載の瞳孔計。
【請求項７５】
画像センサから受信する信号が可視光源から発生される光に対する瞳孔反応の速度を表すことを特徴とする、請求項６９に記載の瞳孔計。
【請求項７６】
画像センサから受信する信号が可視光源から発生される光に対する瞳孔の潜伏時間を表すことを特徴とする、請求項６９に記載の瞳孔計。
【請求項７７】
画像センサから受信する信号が可視光源から発生される光に対する瞳孔の収縮速度を表すことを特徴とする、請求項６９に記載の瞳孔計。
【請求項７８】
画像センサから受信する信号が可視光源から発生される光に対する瞳孔の第１の拡大速度を表すことを特徴とする、請求項６９に記載の瞳孔計。
【請求項７９】
画像センサから受信する信号が可視光源から発生される光に対する瞳孔の第２の拡大速度を表すことを特徴とする、請求項６９に記載の瞳孔計。
【請求項８０】
画像センサから受信する信号が可視光源から発生される光に対する瞳孔の最大直径を表すことを特徴とする、請求項６９に記載の瞳孔計。
【請求項８１】
画像センサから受信する信号が可視光源から発生される光に対する瞳孔の最小直径を表すことを特徴とする、請求項６９に記載の瞳孔計。
【請求項８２】
可視光源により発生される光が眼の網膜の少なくとも１つの領域に投影されることを特徴とする、請求項６９に記載の瞳孔計。
【請求項８３】
可視光源により発生される光が眼の網膜の複数の領域に連続して投影されることを特徴とする、請求項８２に記載の瞳孔計。
【請求項８４】
マイクロプロセッサは、可視光源に電気的に連結され、前記可視光源により複数の光刺激パルスを発生させ、前記画像センサにより前記瞳孔の複数の画像を取得させることを特徴とする、請求項６９に記載の瞳孔計。